(57)【特許請求の範囲】
【請求項１】
プレスロールとシューとの間に配置され、湿紙からの搾水を受容するフェルトを載置し、前記プレスロールに向かって高圧で押しつけられる製紙用シュープレスベルトであって、フェルト側表面に走行方向に延設される排水溝が不連続溝であって、
前記不連続溝の走行方向の端部の少なくとも一方が半円弧形状である、製紙用シュープレスベルト。
【請求項２】
不連続溝が一本の溝内において、溝深さがほぼ同一である、請求項１記載の製紙用シュープレスベルト。
【請求項３】
不連続溝の溝底が半円弧形状であることを特徴とする、請求項１または２に記載の製紙用シュープレスベルト。
【請求項４】
不連続溝の走行方向溝長さが、プレスシューの走行方向長さより短い、請求項１から３のいずれかに記載の製紙用シュープレスベルト。
【請求項５】
不連続溝の走行方向溝長さが、プレスシューの走行方向長さの同等以上、２倍以下である、請求項１から３のいずれかに記載の製紙用シュープレスベルト。
【発明の詳細な説明】
【技術分野】
【０００１】
本発明は、製紙機械のプレスパート、その他の類似機械において湿紙およびフェルトからの搾水性を向上させるために使用するシュープレスベルト（以下、単にベルトと言うことがある）に関し、特にシュープレスベルトのフェルト側表面に延設される溝形状に関する。
【背景技術】
【０００２】
製紙においては、生産性を向上させるためにプレスパートにおいていかに湿紙からの脱水量を増やすかが大きな問題となる。プレス脱水量を多くする手段として、プレスロールの加圧を上げる、プレスロールの硬度を上げる、などの方法が取り入れられており、中でもシュープレスベルトを介在させて、プレスの際のロールとフェルトの間の加圧時間を長くし脱水効果を向上させる方法が近年多くなってきている。【０００３】
さらに最近では、シュープレスベルトには搾水した水を効率よく排水するためにフェルト側表面に多数の溝を延設するものが増えてきている。たとえば、図１（特許文献１に記載）のものは、広巾ニッププレス（いわゆるシュープレス）に使用するベルト１０の外周面８に複数の排水溝９を設けて、湿紙搾水性の向上を図っている。【０００４】
溝形状としては、加工のし易さ、生産性、コスト等の点から、従来は矩形のものがほとんどであったが、特許文献２および３では溝底部を湾曲させたものが提案されている。
図２（特許文献２に記載）のものは、走行方向糸１２と幅方向糸１３からなる基布１１に、ポリウレタン樹脂層１４を設けたシュープレスベルトであって、そのフェルト側表面に排水溝１６の溝底１７が断面Ｕ字形を形成しているものである。断面をＵ字形とすることによって、シュープレスの脱水性（搾水性）と強度持続性のよいベルトを提供するもので、排水溝のランド部の端部は面取りされ、溝幅が０．５〜４ｍｍ、深さが０．５〜５ｍｍ、隣接する排水溝との間隔が１〜４ｍｍで構成されている。特許文献３には、溝底部を湾曲させたものの他、溝の側壁が外側に向けて湾曲したものも示されている。【０００５】
また図３（特許文献４に記載）のものは、シュープレスベルト１８が樹脂被覆層１９に複数の不連続な溝２０が形成されており、該溝２０はマシン方向に沿って矩形に形成されている特徴を持っている。そして該溝２０の経方向の長さが、ロングニッププレスシュー部分の経方向長さより短い特徴を持っている。
このような不連続溝では、溝がロングニッププレスシューに完全に入ったときに、溝内の水に最大圧力が形成されるから、溝がその後プレスシューを脱したときに溝から水が噴出して圧力が急激に降下するように作用する。したがって、このような溝形状を有するシュープレスベルトでは、３００〜８００ｍ／ｍｉｎの比較的低速度で操業される製紙機械において、搾水性が良くなるとされている。【０００６】
【特許文献１】実願昭５７−１４７９３１号（実開昭５９−５４５９８号）のマイクロフィルム
【特許文献２】実用新案登録第３１０４８３０号公報
【特許文献３】特開２００１−９８４８４号公報
【特許文献４】ＰＣＴ  ＷＯ２００５／０４９９１７Ａ公報
【発明の開示】
【発明が解決しようとする課題】
【０００７】
しかし特許文献４のシュープレスベルトでは、不連続溝の走行方向（ＭＤ方向）両端部が矩形となっているから、ベルトの使用中に溝端部の角部からクラックが発生し易かった。本発明は、上記問題点に鑑みなされたもので、製紙用シュープレスベルトにおいて、湿紙搾水性がよく、ベルトの溝端部の損傷（クラックや磨耗）が少ないベルトを提供することを目的とする。
【課題を解決するための手段】
【０００８】
本発明者らは、排水溝の溝形状を不連続溝とし、かつ一本の溝内の少なくとも一方の端部を半円弧状に形成したことによって上記課題を解決できることを見出し、本発明に至った。【０００９】
本発明は、基本的には排水溝の不連続溝形状において、走行方向（ＭＤ方向）の端部の形状を工夫した製紙用シュープレスベルトに関する発明であり、以下の各技術を基礎とするものである。【００１０】
（１）  プレスロールとシューとの間に配置され、湿紙からの搾水を受容するフェルトを載置し、前記プレスロールに向かって高圧で押しつけられる製紙用シュープレスベルトであって、フェルト側表面に延設される排水溝が不連続溝であって、
前記不連続溝の走行方向（ＭＤ方向）の端部の少なくとも一方が半円弧形状である、製紙用シュープレスベルト。【００１１】
（２）  不連続溝が一本の溝内において、溝深さがほぼ同一である、（１）記載の製紙用シュープレスベルト。【００１２】
（３）  不連続溝の溝底が半円弧形状であることを特徴とする、（１）または（２）に記載の製紙用シュープレスベルト。【００１３】
（４）  不連続溝の走行方向（ＭＤ方向）溝長さが、プレスシューの幅（シューのＭＤ方向長さ）より短い、（１）から（３）のいずれかに記載の製紙用シュープレスベルト。【００１４】
（５）  不連続溝の走行方向（ＭＤ方向）溝長さが、プレスシューの幅の同等以上、２倍以下である、（１）から（３）のいずれかに記載の製紙用シュープレスベルト。
【発明の効果】
【００１５】
本発明によれば、排水溝を不連続溝とすることにより、ロングニッププレスシューの出口で、プレス圧の作用により水を強制脱水することができるため、比較的低速域で操業される抄紙機でもプレスで正常な脱水が可能となり、湿紙搾水性がよくなる。また、不連続溝の溝内でＭＤ方向端部の少なくとも一方が半円弧形状であるため、該不連続溝の端部の損傷（クラックや磨耗）が少ない製紙用シュープレスベルトを提供できる。
【図面の簡単な説明】
【００１６】
【図１】従来のシュープレスベルトを示す図である。
【図２】従来の他のシュープレスベルトを示す図である。
【図３】不連続溝が形成された従来のシュープレスベルトを示す図である。
【図４】本発明の溝形成に使用する切削刃（ドリル）を説明する図である。
【図５】本発明の溝形成に使用する他の切削刃（ドリル）を説明する図である。
【図６】本発明の溝形状の第一の態様を示す図である。
【図７】本発明の溝形状の第一の態様の変形の態様を示す図である。
【図８】本発明の溝形状の第一の態様の別の変形の態様を示す図である。
【図９】本発明の溝形状の第二の態様を示す図である。
【図１０】本発明の溝形状の第二の態様の変形の態様を示す図である。
【図１１】本発明の溝形状の第三の態様を示す図である。
【図１２】本発明の溝形状の第三の態様の変形の態様を示す図である。
【図１３】クラック試験に使用する装置を示す図である。
【図１４】搾水試験の概要を示す図である。
【符号の説明】
【００１７】
３０，４０：切削刃（ドリル）
３１，４１：切削刃（ドリル）の溝部
３２：ドリルヘッド
３２Ａ：メインチップ刃
３３：サブチップ刃
４２：メインチップ
５０，６０，７０，７５，８０，８５：ベルト
５１，６１，７１，７６，８１：不連続溝
５２，６２，６３：端部
５３：ＣＭＤ方向ランド部
５４：ＭＤ方向ランド部
８２，８７：溝底
Ｓ：試験片
ＣＨ：クランプハンド
ＰＲ：プレスロール
ＰＳ：プレスシュー
Ｂ：ベルト本体
Ｎ：ノズル
Ｗ：水流
Ｆｔ：トップ側フェルト
Ｆｂ：ボトム側フェルト
ＷＳ：湿紙シート
【発明を実施するための最良の形態】
【００１８】
本発明の実施の形態を、図面に基づき説明する。
図４と図５は、本発明の製紙用シュープレスベルトの排水溝を形成（切削）するための切削刃（ドリル）の概略図である。【００１９】
本発明では、回転する切削刃（ドリル）を使用してベルトのフェルト側表面に排水溝を形成するから、不連続溝の溝内でＭＤ方向端部を半円弧形状の溝形状に溝加工することができる。【００２０】
まず、図４のドリル３０は螺旋状の溝部３１の先端（ドリルヘッド３２）に刃部を成すチップ刃（メインチップ刃３２Ａとサブチップ刃３３）が設けられている。メインチップ刃３２Ａは、ドリルヘッド３２の先端をドリルの直径方向に一直線状に横切るように配置され、またサブチップ刃３３はドリルヘッド３２の先端においてメインチップ刃３２Ａによって二分されて配置されている。このようなドリル３０によって、本発明の不連続の溝形状は、溝底が平底の形状に加工することができる。【００２１】
次に、図５のドリル４０は螺旋状の溝部４１の先端（メインチップ４２）が凸状に形成されており、したがって図５のドリルによって、本発明の不連続の溝形状は、溝底が半円弧形状の形状に加工することができる。【００２２】
本発明の排水溝を不連続溝とする方法について概略を説明する。本発明で使用する切削刃（ドリル）の必要本数を溝形成装置（図示せず）に設置し、溝加工すべきベルトのフェルト側表面（外周面）に該ドリルの先端を当接し、必要な溝深さまで切削する。このとき、円弧形状に切削されるから、切削すべき不連続溝の一方の端部は半円弧形状にすることができる。次にドリルの位置を一定に維持したまま、ベルトをＭＤ方向に移動させて所定のＭＤ方向溝長さまで切削する。そして、いったんベルトの移動を停止してからドリルの先端をベルト表面から遠ざける位置まで後退させて、一本の不連続溝が形成される。このとき、切削された不連続溝の他方の端部も半円弧形状になる。
引続き、ベルトＭＤ方向にランド（溝が形成されていない部分）長さまでベルトを移動した後、再び上記の溝切削を繰返す。そして同じ工程を繰り返してベルト周長すべてを切削する。切削刃（ドリル）は必要本数をベルトのＣＭＤ方向に沿って多列に設置することで、一回の切削動作によってベルト幅方向（ＣＭＤ方向）に複数の不連続溝を形成できる。
なお、不連続溝とは、ＭＤ方向に溝形成のないランド部と、溝形成のある溝底部と、ランド部から溝底部へ、および溝底部からランド部へ至る境界部を有するものをいう。【００２３】
本発明の溝形状について、まず第一の態様例を図６に示す。図６は本発明の製紙用シュープレスベルトのフェルト側表面の平面図である。ベルト５０は走行方向（ＭＤ方向）に複数の不連続溝５１が形成されており、図６における不連続溝５１の端部５２は半円弧形状である。そして、不連続溝５１は隣接する溝との間でランド部５３，５４により離間している。ここでランド部５３は、ベルト横断方向（ＣＭＤ方向）のランド部であり、ランド部５４はベルト走行方向（ＭＤ方向）のランド部である。【００２４】
次に図７のベルト６０は、不連続溝６１の一方の端部６２を半円弧形状（図７ではＭＤ方向先端部）であり、他方の端部６３は直角（図７ではＭＤ方向後端部）に形成されている。
なお、これとは逆にＭＤ方向先端部を直角に形成し、後端部を半円弧形状にしてもよい。またはこれらをランダムに形成してもよい。
両端を半円弧状にするか、一方のみを半円弧状にするかはシュープレスベルトの湿紙搾水性と、クラックや磨耗の発生やその程度によって適宜選択するとよい。【００２５】
なお図６と図７では、ＭＤ方向端部の半円弧の直径と溝幅とはほぼ同一である。本発明では、図８のように、ＭＤ方向端部の半円弧の直径の方が溝幅より広く形成するものであっても良いが、この場合、ＭＤ方向溝長さを切削する切削刃（ドリル）よりも直径の大きい切削刃によって、ＭＤ方向端部の切削を行う必要がある。【００２６】
本発明の溝形状の第二の態様例を図９と図１０に示す。図９と図１０は本発明の製紙用シュープレスベルトのＭＤ方向断面図である。図９のベルト７０の不連続溝７１は一本の溝内において、溝深さがほぼ同一である、すなわち溝のＭＤ方向の深さがほぼ一定に形成されている。他方、本発明では図１０のベルト７５のように、不連続溝７６のＭＤ方向の深さが端部で徐々に浅くなるように構成し、中央部で深くなるように形成されていてもよい。
図９のような不連続溝形状７１では溝の蓄水容積が大きく、しかもプレスシュー内では閉鎖された溝に蓄積された水量に最大圧力が発生するから、プレス出口で蓄水が噴出し易くなってくるが、ＭＤ方向端部の角部でのクラックや欠損が発生する場合がある。一方、図１０のベルト７５のような不連続溝形状７６では、溝の蓄水容積が小さくなる反面、ＭＤ方向端部でのクラックや欠損を抑制することができる。したがって何れの形状を採用するかはベルトの湿紙搾水性と、クラックや磨耗の発生やその程度によって適宜選択するとよい。【００２７】
本発明の溝形状の第三の態様例を図１１と図１２に示す。図１１と図１２は本発明の製紙用シュープレスベルトのＣＭＤ方向断面図である。図１１のベルト８０の不連続溝８１は、溝底８２の形状が半円弧形状である。他方、本発明では図１２のベルト８５のように溝底８７の形状を直角に形成することもできる。図１１のような溝底が半円弧形状では、溝の蓄水容積が小さくなる反面、溝底のクラックや欠損を抑制することができる。図１２のような溝底形状では、溝の蓄水容積が大きいが、溝底の角部でクラックや欠損が発生する場合がある。したがって何れの形状を採用するかはベルトの湿紙搾水性とクラックや磨耗の発生やその程度によって適宜選択するとよい。【００２８】
本発明の溝形状の第四の態様例について説明する。本発明の第四の態様例は、不連続溝の走行方向（ＭＤ方向）溝長さが、プレスシューの幅より短い不連続の溝形状である。
本発明の不連続溝のＭＤ方向溝長さは、前述のようにプレスシューの幅（シューのＭＤ方向長さ）よりも短い方が、溝がロングニッププレスシュー内に完全に入り、閉鎖された溝に蓄積された水に、より強い最大圧力が発生するので好ましい。製紙機械のプレスパート用のシュープレスでは、プレスシューの幅は多種多様であるが、おおよそ５０ｍｍ〜４００ｍｍの範囲にあるので、本発明の不連続溝のＭＤ方向溝長さは、プレスシューの幅（シューのＭＤ方向長さ）より短い４０ｍｍ〜３９０ｍｍの範囲内で設定することができる。【００２９】
本発明の溝形状の第五の態様例について説明する。本発明の第五の態様例は、不連続溝の走行方向（ＭＤ方向）溝長さが、プレスシューの幅（シューのＭＤ方向長さ）の同等以上、２倍以下である。
プレスシューの幅の同等以上、２倍以下の溝長さとして、５０ｍｍ〜８００ｍｍの範囲内で設定することができる。
製紙機械の操業速度が８００〜１０００ｍ／ｍｉｎの比較的中速度で操業される場合、ロングニッププレスシューをベルトの不連続溝が通過する時間が、低速度で通過する時間より短くなってくる。そこで、不連続溝のＭＤ方向長さがプレスシューの幅の同等以上、２倍以下のものは、溝がロングニッププレスシュー内で完全に閉鎖された溝空間を作らないが、水の粘性効果によるダイラタンシー（レイノルズ現象）によって、蓄積された水にある程度強い圧力が作用するから、湿紙の搾水性はある程度保つことができる。【００３０】
本発明の溝寸法は、溝幅が０．５〜２ｍｍ、溝深さが０．５〜２ｍｍ、隣接する排水溝とのランド部の間隔が１〜５ｍｍの範囲で調整される。溝形成のないランド部の角部には、面取りを施すことで、角部の欠損や耳欠けを防止することができる。【００３１】
本発明の溝配列は、図６のように均等に並列しても良いが、特許文献４のように配列を特定のパターンで形成しても良い。
【実施例】
【００３２】
本発明のシュープレスベルトについて、具体的に以下に示す工程により、実施例１〜９及び比較例１〜２を作成した。【００３３】
工程１：無端状の基体を２本ロール間に掛け入れ、所定の張力で緊張させる。
工程２：基体の上から液状ポリウレタンを配置し、硬化させることにより基体のシュー側に樹脂層（ポリウレタン層）を形成する。
工程３：上記基体を反転してから、引続き基体の上から液状ポリウレタンを配置し、硬化させることにより基体のフェルト側に樹脂層（ポリウレタン層）を形成して、基体の表裏に樹脂層を有するシュープレスベルトを得る。
工程４：溝形成装置にドリルを複数本配置し、静止している上記シュープレスベルトのフェルト側表面にドリル先端を当接させ、フェルト表面に所定の不連続溝を形成する。【００３４】
「比較例３」
従来の連続溝が形成されたシュープレスベルトについて、具体的に以下に示す工程により、比較例３を作成した。
工程１〜工程３：前記工程と同じ。
工程４：溝形成装置にチップソーを複数本配置し、ＭＤ方向に移動している上記シュープレスベルトのフェルト側表面にチップソー刃の先端を当接させ、フェルト表面に所定の連続溝を形成する。【００３５】
なお、溝形状は次の範囲に調整する。
(1)  溝幅・・・１．２ｍｍ一定。
(2)  溝深さ・・溝深さが深い部分で１．５ｍｍになること。
(3)  ＣＭＤ方向に隣接する排水溝とのランド部の間隔・・２．０ｍｍ一定。
(4)  ＭＤ方向に隣接する排水溝とのランド部の間隔・・５．０ｍｍ一定
(5)  不連続溝のＭＤ方向長さ・・図１４の本テスト装置におけるプレスシューＰＳのシューの幅（シューのＭＤ方向長さ）５０ｍｍに対して、短い４０ｍｍのものと、同等の５０ｍｍのもの、および長い９０ｍｍのものを作製した。
形成された不連続溝の形態を表１に記載した。【００３６】
【表１】
0005571962.tif 000002
【００３７】
＜性能評価方法＞
製造されたシュープレスベルトについては、以下の試験により性能を評価し、機能順を付けて総合評価する。【００３８】
＜クラック試験＞
図１３に示す装置を用いる。この装置は、実験片Ｓの両端が、クランプハンドＣＨ、ＣＨにより挟持され、クランプハンドＣＨ、ＣＨが、連動して左右方向に往復移動可能に構成されている。なお、この際、実験片Ｓに掛けられる張力は３ｋｇ／ｃｍ、往復速度は２０ｃｍ／秒である。そして、実験片Ｓは、プレスロールＲＲと、プレスシューＰＳとにより加圧される。この際、プレスシューＰＳがプレスロールＲＲ方向に移動することにより、実験片Ｓは加圧される。なお、この圧力は５０ｋｇ／ｃｍ２である。この装置により、不連続溝のＭＤ方向端部またはその近辺にクラックが生じるまでの往復回数を測定する。なお、実験片Ｓの寸法はＭＤ方向４００ｍｍ（クランプハンドＣＨ、ＣＨ間の長さに等しい）、ＣＭＤ方向５０ｍｍである。実験片における評価面（フェルト側面）は、プレスロールＲＲ側に向けられているものである。
評価点Ａ：クラック発生までの回数（単位；万回）が３０万回以上であったもの。    
評価点Ｂ：２０万回〜３０万回の範囲のもの。
評価点Ｃ：１０万回〜２０万回の範囲のもの。
評価点Ｄ：１０万回以下であったもの。【００３９】
＜搾水試験＞
図１４に示す装置を使用して湿紙搾水テストを行う。本テスト装置は、プレスロールＰＲと対向する位置にベルト本体Ｂを配置するとともに、該ベルト本体Ｂをその内周側から前記プレスロールＰＲに圧迫するようにプレスシューＰＳ（シューの幅；５０ｍｍ）を配置する。また、前記プレスロールＰＲとベルト本体Ｂとの間には、ナイロン６による１１ｄｔｅｘの短繊維を、坪量が１５００ｇ／ｍ２となるようニードルパンチ法にて基布に植毛してなるトップ側フェルトとボトム側フェルトＦを配置してなる。いま、ベルト本体Ｂを、プレスロールＰＲとプレスシューＰＳとのニップ圧が１０００ｋＮ／ｍの下で８００ｍ／分の走行速度で走行させる。そして、前記プレスロールＰＲ上にその上方に設置したノズルＮから３ｋｇ／ｃｍ２の圧力で１５リットル／分で水流Ｗを噴射する。このときトップロールは水流Ｗの膜に覆われるとともに、該水流Ｗはトップ側フェルトＦｔ及びボトム側フェルトＦｂに含浸された後、ベルト本体Ｂにも供給される。このような状態において、前記ボトム側フェルトＦｂ上に、水分が７０％含有されている湿紙シートＷＳを載置し、ニップを通過させ、通過後の湿紙シートＷＳの水分を測定する。
評価点Ａ：湿紙水分が４５％以下であったもの。
評価点Ｂ：４５％〜４９％の範囲のもの。
評価点Ｃ：４９％〜５３％の範囲のもの。
評価点Ｄ：５３％以上であったもの。【００４０】
＜機能順位＞
試験結果については、上記各試験のそれぞれの評価点を基に総合評価し、以下の機能順位を付与する。
評価点がすべてＡのもの        →  順位1位
評価点が１つＡで他がＢのもの  →  順位２位
評価点がすべてＢのもの        →  順位３位
評価点に１つでもＣがあるもの  →  順位４位
評価点に１つでもＤがあるもの  →  順位５位【００４１】
実施例１〜９及び比較例１〜３に係るシュープレスベルトについて、クラック試験、搾水試験を行い、性能を評価した。その結果を表２に示す。【００４２】
【表２】
0005571962.tif 000003
【００４３】
表２の結果によれば、実施例３と実施例７の溝形状が２つの評価試験についていずれも良好な評価が得られており、最もバランスよいものであった。
また、不連続溝のＭＤ方向長さがプレスシューの幅と同等の実施例８では、それと対比できる実施例１に比べて搾水試験の評価が劣るものの、機能順位としては遜色のないものであった。さらに、不連続溝のＭＤ方向長さがプレスシューの幅よりも長い実施例９では、実施例８に比べて搾水試験の評価は更に下がるが、連続溝形状を有する比較例３よりも機能順位としては良好であった。
【産業上の利用可能性】
【００４４】
本発明によるシュープレスベルトは、ベルトの使用中にクラックの発生が少なく排水能力の良いベルトを構成できるので、製紙機械のプレスパート、その他の類似機械において湿紙およびフェルトからの搾水性を向上するために使用するシュープレスベルトとしてきわめて有用である。
【図１】
0005571962.tif 000004
【図２】
0005571962.tif 000005
【図３】
0005571962.tif 000006
【図４】
0005571962.tif 000007
【図５】
0005571962.tif 000008
【図６】
0005571962.tif 000009
【図７】
0005571962.tif 000010
【図８】
0005571962.tif 000011
【図９】
0005571962.tif 000012
【図１０】
0005571962.tif 000013
【図１１】
0005571962.tif 000014
【図１２】
0005571962.tif 000015
【図１３】
0005571962.tif 000016
【図１４】
0005571962.tif 000017